(57)【要約】【課題】  本発明は、スキージャンプ競技における採点を行う際の審判採点方法とその審判採点入力手段に関する。飛型審判員の複雑な審判採点の入力操作の負担軽減を図り、各選手のジャンプ毎に飛距離、速度、飛型審判員の得点を迅速に作成し、リアルタイムに採点した公式記録や順位等の結果を特定させ、大会運行がよりスムーズに効率的になされるようにするためのもぼである。【解決手段】本発明は、バーコード読み取り機能とテンキー入力機能とを備えてなる無線ハンディターミナル端末と審判採点入力用バーコード表示体とを飛型審判員に対応した数だけ用意し、これを用いて各飛型審判員が飛行（フライト）、飛型（ランディング）、着地（アウトライン）の３つの要素を判定した結果をバーコード入力および／またはテンキー入力し、その入力された審判採点データを無線データ通信で接続できるようにした審判採点入力手段と、審判採点入力方法である。【選択図】      図４
2005160532.tif 000002
【特許請求の範囲】
【請求項１】
スキージャンプ競技における飛型審判員の審判採点をする方法として、
バーコード読み取り機能とテンキー入力機能とを備え、画面表示付きで、携帯端末ＣＰＵを搭載し、無線データ転送型の当該無線ハンディターミナル端末と、
飛型（ランディング）、飛行（フライト）、着地（アウトライン）の３つの要素ごとに判定し満点から減点し得るようにバーコード化した原点数値を分類した状態に展開表示した審判採点入力用バーコード表示体とを各飛型審判員に用意し、
飛型審判員が各選手の本番競技ジャンプを観察して、その飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択スキャンして、当該無線ハンディターミナル端末にバーコード読み取り入力させ、その入力減点情報又は満点から入力減点情報を差し引いた審判採点を、無線データ通信で審判点を計算できるホストコンピュータに送信できるようにしたことを特徴とするスキージャンプ競技における審判採点方法。
【請求項２】
飛型審判員が各選手の本番競技ジャンプを観察して、その飛行（フライト）、飛型（ランディング）、着地（アウトライン）の３つの要素をルールに基づいて判定した結果を、各要素毎に前記審判採点入力用バーコード表示体の中から順不同に選択スキャンして、バーコード読み取り入力させ、画面表示で確認し、入力ミスがあった場合にはテンキー入力で訂正して、正確な入力減点情報又は満点から入力減点情報を差し引いた審判採点を、無線データ通信で審判点を計算できるホストコンピュータに送信できるようにしたことを特徴とする請求項１に記載のスキージャンプ競技における審判採点方法。
【請求項３】
スキージャンプ競技における飛型審判員の審判採点をする手段として、
各飛型審判員毎に無線ハンディターミナル端末と審判採点入力用バーコード表示体との組み合わせとから構成されるが、
当該無線ハンディターミナル端末は、バーコード読み取り機能とテンキー入力機能とを備え、画面表示付きで、携帯端末ＣＰＵを搭載し、無線データ転送型のものとなし、
審判採点入力用バーコード表示体は、飛型（ランディング）、飛行（フライト）、着地（アウトライン）の３つの要素毎ごとに判定し、満点から減点得るように０.５刻みにバーコード化した減点数値を分類しながら展開表示したものとなし、
飛型審判員が各選手のジャンプ本番競技ジャンプを観察して飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択スキャンしてバーコード読み取り入力をし、その入力情報又は満点から入力減点情報を差し引いた審判採点を、無線データ通信で審判点を計算できるホストコンピュータに送信できるようにしたことを特徴とするスキージャンプ競技における審判採点入力手段。
【請求項４】
スキージャンプ競技における飛型審判員の審判採点をする手段として、
各飛型審判員毎に無線ハンディターミナル端末と審判採点入力用バーコード表示体との組み合わせとから構成され、
当該無線ハンディターミナル端末は、バーコード読み取ることのできるスキャナー部と、テンキー入力ができるキー入力部と、ＣＰＵ，ＯＳ，ＲＯＭ，ＲＡＮ等を備えた制御部と、入力文字を表示できる表示部と、所定の規格、周波数で送信出力できる無線方式の無線部と、コネクタＩ／ＦとしてＲＳ２３２Ｃを備え、同期方式が調歩同期半二重方式である小型の無線ターミナル端末となし、
当該審判採点入力用バーコード表示体は、０.０〜５.０までのフライト減点数値を０.５刻みにバーコード化した１０個のフライトバーコードを列設してなる飛行（フライト）得点入力用バーコード群と、０.０〜５.０までのランディング減点数値を０.５刻みにバーコード化した１０個のランディングバーコードを列設してなる飛型（ランディング）得点入力用バーコード群と、０.０〜７.０までのアウトライン減点数値を０.５刻みにバーコード化したアウトラインバーコードを列設してなる着地（アウトライン）得点入力用バーコード群とを、飛型審判員の手の届く範囲に配置表示してなるものとなし、
飛型審判員が各選手のジャンプ本番競技ジャンプを観察して飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択してバーコード読み取り入力をするようになすとともに、予備的にテンキー入力も出来き、その入力減点情報又は満点から入力減点情報を差し引いた審判採点を、無線データ通信で審判点を計算できるホストコンピュータに送信出来るようにしたことを特徴とするスキージャンプ競技における審判採点入力手段。
【発明の詳細な説明】
【技術分野】
【０００１】
本発明は、スキージャンプ競技における採点を行う際の審判採点方法とその審判採点入力手段に関する。スキージャンプ競技大会における採点は、飛距離とスピードに基づいて特定した実績点と、５人の飛型審判員が飛型（ランディング）、飛行（フライト）、着地（アウトライン）の３つの要素を判定した審判採点を基にして特定した審判点とを合計して飛躍得点とすることが、ルールに定められている。飛型審判員は、この審判採点を本番競技ジャンプ後、ほぼ５秒以内になされることが要請されており、その正確・迅速な入力作業が大変な負担になっている。本発明は、この飛型審判員による審判採点負担を軽減し、その誤判定、誤入力を減らすとともに、当該飛型審判員の審判採点をリアルタイムに飛躍得点を計算するところへ伝達する方法と手段を提供せんとするものである。
【背景技術】
【０００２】
スキージャンプ競技の採点は、図１に示すように、ベース情報として競技に参加する選手名、スタートナンバー、ゼッケン、所属名等が特定していることを前提にして、各選手の一回の飛躍（ジャンプ）毎にその飛距離とスピードについて測定した結果を基にして実績点となし、これに５人の飛型審判員が飛型（ランディング）、飛行（フライト）、着地（アウトライン）の３つの要素を判定した結果から計算して審判採点したものからルールに従って審判点を計算し特定する。当該審判点の特定方法は、まず５人の飛型審判員が、それぞれの審判員ごとに２０点満点から飛型（ランディング）、飛行（フライト）、着地（アウトライン）の３つの要素について、ルールで定められた事項が達せられなかった場合に減点をする方法で採点される。こうして集められた５人の審判採点データから最高点と最低点を切り捨て、中間３人の飛型審判員の審判採点データを採用し、その合計点を審判点とする。その上で、特定された実績点と審判点とを合計して飛躍得点とするのである。
【０００３】
競技会では、各選手が本番競技ジャンプを１回又は２回行い、その飛躍得点の合計点により順位を競い合うのである。更に、この飛躍得点の合計点を複合競技のジャンプ部門得点に換算して、順位と得点を競い合たり、シーズン毎に世界各地で開催されるワールドカップ競技会の順位を得点に変えて総合順位を競い合う場合もある。
【０００４】
従来のスキージャンプ競技の採点においては、ジャンプの飛距離やスピードなどの実績の測定も、審判による審判採点についても、そのデータ伝達についても、測定員や飛型審判員やデータ連絡員など、人海戦術により運営していた時代があった。近年は、コンピュータを飛躍得点の計算処理やその集計や記録処理の道具として使用したり、測定装置を用いてジャンプの実績測定を行うなど、機械化が進んできている。しかし、まだまだ飛型審判員により評価・判定される審判採点は、ルールが複雑なためもあって人手によって行なわれているし、実績測定値や審判採点の結果を集めて得点計算し、記録する作業も、人手を介して行われているというのが実情である。
【発明の開示】
【発明が解決しようとする課題】
【０００５】
従来のスキージャンプ競技会の採点については、いろいろな課題や問題点をかかえていた。特に飛型審判員による審判採点部門に大きな課題があるとされている。それは、次のようなことである。
【０００６】
従来の採点方式では、飛型審判員による審判採点を、手作業による数値として専用帳票やメモ用紙に直接記載するか、コンピュータに当該数値を直接テンキー入力する方式がとられていた。しかし、その審判採点では、飛型・飛行・着地の３要素を別個に判定して３種類の採点を入力しなければならないうえ、この審判採点の基準は、満点（２０点）からルールに定められら事項についてチェックし、達成していない場合に減点していく方式になっている。すなわち、満点から飛型・飛行・着地の３要素についてミスした事項について所定の得点を引き算した数値を審判採点として入力しなければならないという複雑な作業であった。
【０００７】
従来、専用帳票やメモ用紙に審判採点を直接記載する場合は、５人の飛型審判員の採点数値を集計し、審判点を計算する所まで当該審判採点データを伝達する必要があった。そのための作業も手間も大変であった。一方当該審判採点をコンピュータを利用して行う場合には、その判定した減点事項を満点から引き算して得た審判採点の数値をテンキー入力する必要がある。この数値のテンキー入力は、打ち間違いや、勘違いなどの単純入力ミスが多くなる。しかも、飛型審判員は、一方で各選手の本番競技ジャンプをしっかり観察し、ルールに基づきミス事項について満点から減点して審判採点を出さなければならず、その直後にコンピュータへ当該審判採点の数値入力操作を正確に且つ迅速におこなわなければならない。このような異質の作業を何度も切り替えながら迅速におこなうことは大変な作業である。コンピュータに慣れていない飛型審判員の場合には、メモ用紙に各選手のジャンプ毎にその飛型・飛行・着地の３要素の採点数値を記入して、補助者にその審判採点数値をテンキー入力してもらう方法を採っている。このように複雑な作業を飛型審判員は、各選手の本番競技ジャンプ直後から約５秒以内におこなわなければならないのである。しかも各選手は、本番競技ジャンプを、次々に所定の時間間隔で試みてくるのであるから飛型審判員にとっては、休む時間もない状態である。更に、選手の数が多く２回の競技ジャンプが行われる競技会の場合には、１００回を超える多数回に渡って、複雑な審判採点作業をおこなわなければならないことも多い。以上のような実態を考慮すると、飛型審判員の審判採点作業が、いかに大変で、負担の大きい作業であるかが理解できる。にもかかわらず、従来は、飛型審判員の入力ミスを原則として許されておらず訂正することができなかったり、困難であったりする場合が殆どであった。このため飛型審判員の誤判定、誤入力を減らすためにも、飛型審判員の判定、審判採点の計算、当該審判採点の入力、伝達という一連の作業の負担の軽減が強く望まれているのである。
【０００８】
本発明は、これらの課題を解消すべく、当該る審判採点方法とその審判採点入力手段に次のような特徴をもたせることにしたものである。
【０００９】
ａ）本発明は、審判採点入力手段と審判点を計算できるホストコンピュータとを無線データ通信で接続するようになし、機器類の設置作業を大幅に軽減するようにした。またコードが無いので配線工事もなく環境への影響がないようにした。
ｂ）飛型審判員の審判採点の数値入力操作を無線ハンディターミナル端末によるバーコード入力（数値をバーコードに図形化し、それをスキャナーで瞬時に数値として入力する。）することにより、入力操作の簡素化と、飛型審判員の負担軽減を図り、之によって採点入力ミスを防止し、公式記録の精度を向上させるようにする。
ｃ）各選手のジャンプ毎に飛距離、速度、飛型審判員の得点を迅速に作成し、リアルタイムに採点した公式記録や順位等の結果を特定させ、大会運行がよりスムーズに効率的になされるようにする。
ｅ）ホストコンピュータから無線ハンディターミナル端末のシステム機能チェックができるようにして、保守管理者や専門技術者の少数化と効率化を図るようにする。
【課題を解決するための手段】
【００１０】
本発明は、前記の技術的課題を解決するための手段として、スキージャンプ競技における審判採点方法とその審判採点入力手段を以下のように構成したものである。
【００１１】
特許を受けようとする第１発明は、スキージャンプ競技における飛型審判員の審判採点をする方法として、バーコード読み取り機能とテンキー入力機能とを備え、画面表示付きで、携帯端末ＣＰＵを搭載し、無線データ転送型の当該無線ハンディターミナル端末と、
飛型（ランディング）、飛行（フライト）、着地（アウトライン）の３つの要素ごとに判定し満点から減点し得るようにバーコード化した原点数値を分類した状態に展開表示した審判採点入力用バーコード表示体とを各飛型審判員に用意し、飛型審判員が各選手の本番競技ジャンプを観察して、その飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択スキャンして、当該無線ハンディターミナル端末にバーコード読み取り入力させ、その入力減点情報又は満点から入力減点情報を差し引いた審判採点を、無線データ通信で審判点を計算できるホストコンピュータに送信できるようにしたことを特徴とするスキージャンプ競技における審判採点方法である。
【００１２】
特許を受けようとする第２発明は、飛型審判員が各選手の番競技ジャンプを観察して、その飛行（フライト）、飛型（ランディング）、着地（アウトライン）の３つの要素をルールに基づいて判定した結果を、各要素毎に前記審判採点入力用バーコード表示体の中から順不同に選択スキャンして、バーコード読み取り入力させ、画面表示で確認し、入力ミスがあった場合にはテンキー入力で訂正して、正確な入力減点情報又は満点から入力減点情報を差し引いた審判採点を、無線データ通信で審判点を計算できるホストコンピュータに送信できるようにしたことを特徴とする請求項１に記載のスキージャンプ競技における審判採点方法である。
【００１３】
特許を受けようとする第３発明は、スキージャンプ競技における飛型審判員の審判採点をする手段として、各飛型審判員毎に無線ハンディターミナル端末と審判採点入力用バーコード表示体との組み合わせとから構成されるが、当該無線ハンディターミナル端末は、バーコード読み取り機能とテンキー入力機能とを備え、画面表示付きで、携帯端末ＣＰＵを搭載し、無線データ転送型のものとなし、審判採点入力用バーコード表示体は、飛型（ランディング）、飛行（フライト）、着地（アウトライン）の３つの要素毎ごとに判定し、満点から減点得るように０.５刻みにバーコード化した減点数値を分類しながら展開表示したものとなし、飛型審判員が各選手のジャンプ本番競技ジャンプを観察して飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択スキャンしてバーコード読み取り入力をし、その入力情報又は満点から入力減点情報を差し引いた審判採点を、無線データ通信で審判点を計算できるホストコンピュータに送信できるようにしたことを特徴とするスキージャンプ競技における審判採点入力手段である。
【００１４】
特許を受けようとする第４発明は、スキージャンプ競技における飛型審判員の審判採点をする手段として、各飛型審判員毎に無線ハンディターミナル端末と審判採点入力用バーコード表示体との組み合わせとから構成され、当該無線ハンディターミナル端末は、バーコード読み取ることのできるスキャナー部と、テンキー入力ができるキー入力部と、ＣＰＵ，ＯＳ，ＲＯＭ，ＲＡＮ等を備えた制御部と、入力文字を表示できる表示部と、所定の規格、周波数で送信出力できる無線方式の無線部と、コネクタＩ／ＦとしてＲＳ２３２Ｃを備え、同期方式が調歩同期半二重方式である小型の無線ターミナル端末となし、当該審判採点入力用バーコード表示体は、０.０〜５.０までのフライト減点数値を０.５刻みにバーコード化した１０個のフライトバーコードを列設してなる飛行（フライト）得点入力用バーコード群と、０.０〜５.０までのランディング減点数値を０.５刻みにバーコード化した１０個のランディングバーコードを列設してなる飛型（ランディング）得点入力用バーコード群と、０.０〜７.０までのアウトライン減点数値を０.５刻みにバーコード化したアウトラインバーコードを列設してなる着地（アウトライン）得点入力用バーコード群とを、飛型審判員の手の届く範囲に配置表示してなるものとなし、飛型審判員が各選手のジャンプ本番競技ジャンプを観察して飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択してバーコード読み取り入力をするようになすとともに、予備的にテンキー入力も出来き、その入力減点情報又は満点から入力減点情報を差し引いた審判採点を、無線データ通信で審判点を計算できるホストコンピュータに送信出来るようにしたことを特徴とするスキージャンプ競技における審判採点入力手段である。
【発明の効果】
【００１５】
本発明に係るスキージャンプ競技における審判採点方法は、上記のように、バーコード読み取り機能とテンキー入力機能とを備えた無線ハンディターミナル端末と審判採点入力用バーコード表示体とを審判採点入力手段として用意し、飛型審判員が、飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択スキャンするだけで、当該無線ハンディターミナル端末にバーコード読み取り入力させ、その入力減点情報又は満点から入力減点情報を差し引いた審判採点を計算し、無線データ通信で審判点を計算できるホストコンピュータに送信できるようにしたものである。その結果、飛型審判員の入力負担を大幅に軽減させることができただけでなく、審判採点の入力作業、当該審判採点データの伝達、審判点を計算処理という一連のスキージャンプ競技における複雑な採点業務をリアルタイムに行うことができるようになり、競技大会運営を従来以上に円滑に行うことができるようになった。
【００１６】
本発明は、スキージャンプ競技の採点をする審判採点入力手段と５人の飛型審判員の審判採点を収集して審判点を最終的に計算できるホストコンピュータとを無線データ通信接続しコードレス化したので、機器類の搬入設置や接続設定及び搬出移動が簡単となり、その作業を大幅に軽減することができようになった。また、本発明をコードレス化したので、その利用場所が制限されなくなりローコストで会場に合わせた柔軟な採点システムを簡単に構築することができることとなった。このように本発明に係る審判採点入力手段を利用したスキージャンプ競技の採点・表示システムを競技大会の度に、必要に応じて簡単に設定し、競技を終えれば取り外して収納しておけるようになったので、機器類のメンテナンスもシーズンオフにおける保守管理も非常に簡単となった。
【００１７】
また、審判採点入力手段を、無線ハンディターミナル端末と審判採点入力用バーコード表示体との組み合わせとなし、当該無線ハンディターミナル端末には、バーコード読み取り機能とテンキー入力機能とを備えて、飛型審判員の審判採点の入力数値をバーコード化（図形化）して、これを無線ハンディターミナル端末を用いて瞬時にバーコード読み取入力（数値として入力）としたので、飛型審判員の入力負担を大幅に軽減するとともに入力作業のスピード化を図ることができるようになった。その結果、単純な採点入力ミスを防止することができ、公式記録の精度を向上させることができるようになったのである。
【００１８】
更に、本発明は、ホストコンピュータから無線ハンディターミナル端末のシステム機能チェックができるので、メンテナンスや保守管理が容易となり、機器類やシステムの保守管理者や専門技術者が少数でも充分となった。
【発明を実施するための最良の形態】
【００１９】
本発明は、スキージャンプ競技における飛型審判員の審判採点をする方法として、バーコード読み取り機能とテンキー入力機能とを備え、画面表示付きで、携帯端末ＣＰＵを搭載し、無線データ転送型の当該無線ハンディターミナル端末と、飛型（ランディング）、飛行（フライト）、着地（アウトライン）の３つの要素ごとに判定し満点から減点し得るようにバーコード化した原点数値を分類した状態に展開表示した審判採点入力用バーコード表示体とを審判採点入力手段として各飛型審判員に用意し、飛型審判員が各選手の本番競技ジャンプを観察して、その飛行（フライト）、飛型（ランディング）、着地（アウトライン）の３つの要素をルールに基づいて判定した結果を、当該無線ハンディターミナル端末の位置を動かし、前記審判採点入力用バーコード表示体の中から選択スキャンして、当該無線ハンディターミナル端末にバーコード読み取り入力させ、その入力減点情報又は満点から入力減点情報を差し引いた審判採点を、無線データ通信で審判点を計算できるホストコンピュータに送信できるようにしたことを特徴とするスキージャンプ競技における審判採点方法である。
【実施例】
【００２０】
本発明を図示実施例に基づいて、詳細に説明する。
図１は、本発明に係るスキージャンプ競技における採点方式を図式化した説明図であり、図２は、審判採点入力手段を構成する無線ハンディターミナル端末の一実施例を示す斜視図であり、図３は、スキージャンプ競技の審判採点入力用バーコード表示体を示す一実施例を示す平面図であり、図４は、審判採点入力手段を構成する無線ハンディターミナル端末及び審判採点入力用バーコード表示体と、審判点を計算できるホストコンピュータとが無線データ通信で接続されているシステム概要を示す構成説明図である。
【００２１】
本発明に係る前記審判採点入力手段は、図２に示すように、バーコード読み取り機能とテンキー入力機能とを備え、画面表示付きで、携帯端末ＣＰＵを搭載した無線データ転送型の無線ハンディターミナル端末１と、図３に示すように審判採点入力用バーコード表示体２との組み合わせたものである。競技会に際しては、当該無線ハンディターミナル端末１と審判採点入力用バーコード表示体２とを、５人の飛型審判員に対応して５組用意し、各飛型審判員が飛型（ランディング）、飛行（フライト）、着地（アウトライン）の３つの要素を判定した結果を審判採点データとしてバーコード入力またはテンキー入力し、その各飛型審判員の審判採点データをそれぞれ無線通信できるようにしたものである。
【００２２】
当該無線ハンディターミナル端末１には、運用形態・入力方式の設定と競技に関する各情報の入力及びホストとなるコンピュータ３への送受信を行うソフトウエアを内臓している。そして、得点の入力に際しては、審判採点入力用バーコード表示体３をスキャンして入力する方法と直接キーボードから入力する方法のどちらでも可能であること、得点の入力方法として飛型明細方式、合計得点方式の２通りが可能であること、棄権の操作が行えること、スタートリストに従って得点の入力ができるようにすること、入力された得点データは内部に保存でき、ホストコンピュータへ一括アップロードできること、ホストコンピュータと通信テストが行え、通信異常の有無と原因が明確に判断できること等が出来るようになっていることが望ましい。
【００２３】
ホストとなる無線モデムを備えた得点計算のできるコンピュータ（中央処理パソコン）３には、既存の基本ソフトウェアの他に、審判員や情報収集機器用のデータを制御、得点計算、記録の更新、掲示板等への表示をするためのソフトウェアと、現在の運用情報を蓄積保管するためと、過去の実績情報の参照、確認、訂正が行えるバックアップＰＣソフトウェアを備えている。即ち、次のようなことが出来るように設定されているのである。
【００２４】
５人の飛型審判員の審判採点入力手段と、飛距離測定手段と、スピード測定手段とから無線で送信されてきた審判採点データと飛距離データとスピードデータとを受信収集する。
飛距離データから飛距離点を計算する。これが、実績点である。
審判採点データから審判点を計算する。５人の飛型審判員が、それぞれの審判員ごとに２０点満点から飛型（ランディング）、飛行（フライト）、着地（アウトライン）の３つの要素について、ルールで定められた減点をする方法で採点をする。５人のの審判採点データから最高点と最低点を切り捨て、中間の３人の飛型審判員の審判採点データを採用し、その合計を審判点とする。例えば、５人の飛型審判員の審判採点データが、Ａ審判員：１９．０、Ｂ審判員：１８．０、Ｃ審判員：１９．５、Ｄ審判員：１８．０、Ｅ審判員：１７．０の場合、最高点のＣ審判員：１９．５と最低点のＥ審判員：１７．０を除き、残りの得点を合計して５５点が審判点となる。
この実績点と審判点とを合計して飛躍得点とする。これがスキージャンプ競技の得点計算処理である。
各選手の本番競技毎の飛躍得点と順位が確定し、公式記録として記録されると、これら競技成績一覧から競技成績情報が作成される。更に参加選手氏名・その所属・実績・スタートナンバー・ゼッケン、その他の大会関連情報などと組み合わせて競技運営情報をも作成する。こうして作成された情報を記憶してデータ−ベースを構築する。
情報掲示板やモニタ等の情報表示・広報手段５へ、無線モデムを介して必要な競技成績情報や競技運営情報を配信する。
その他、具体的には、無線ハンディターミナル端末１から入力された情報が、リアルタイムに保管、参照、確認できること、入力された情報の訂正が行なえること、訂正された情報が、リアルタイプに反映され整合性が正しいこと、再試合の設定をホストコンピュータから無線ハンディターミナル端末１に設定できること、全面的な通信系統のテストがホストコンピュータから行い異常の有無が確認できること、任意時点で必要情報を情報掲示板やモニタ等の情報表示・広報手段５へ表示できるようにすること等が行えるようにするのが望ましい。
【００２５】
本発明に係るスキージャンプ競技の本発明に係る前記審判採点入力手段と審判採点入力方法とは、審判採点入力手段から無線送信されてきた審判採点データを、ホストのコンピュータにて受信収集し、５人の飛型審判員の判定した審判採点データから最高点と最低点を切り捨て、中間の３人の飛型審判員の審判採点を採用し、その合計を審判点とし、当該実績点と審判点とを合計して飛躍得点とする得点計算処理をなす。
【００２６】
本発明は、叙上のように飛型審判員に大きな負担をかけている複雑な審判採点入力作業を、バーコード入力方式にして簡素化を図るとともに、単純な入力ミスをできるだけ防ぐようにしたものである。
【産業上の利用可能性】
【００２７】
本発明は、バーコード読み取り機能とテンキー入力機能とを備えてなる無線ハンディターミナル端末１と審判採点入力用バーコード表示体２とを飛型審判員に対応した数だけ用意し、これを用いて各飛型審判員が飛行（フライト）、飛型（ランディング）、着地（アウトライン）の３つの要素を判定した結果をバーコード入力および／またはテンキー入力し、その入力された審判採点データを無線データ通信で接続できるようにした審判採点入力手段と、審判採点入力方法である。すなわち、本発明は、スキージャンプ競技大会の審判採点入力方法をバーコード入力にして、飛型審判員の負担を軽減し、記入ミスや勘違いなどの単純ミスを防ぎ、その情報処理の迅速化と正確さを実現するもので、競技大会の運営を円滑にしようとするものである。これによってウインタースポーツの振興を図るとともに、スポーツ関連産業の発展を促進せんとするものである。
【図面の簡単な説明】
【００２８】
【図１】本発明に係るスキージャンプ競技における採点方式を図式化した説明図である。
【図２】審判採点入力手段を構成する無線ハンディターミナル端末の一実施例を示す斜視図である。
【図３】スキージャンプ競技の審判採点入力用バーコード表示体を示す一実施例を示す平面図である。
【図４】審判採点入力手段を構成する無線ハンディターミナル端末及び審判採点入力用バーコード表示体と、審判点を計算できるホストコンピュータとが無線データ通信で接続されているシステム概要を示す構成説明図である。
【符号の説明】
【００２９】
１：無線ハンディターミナル端末
２：審判採点入力用バーコード表示体
３：コンピュータ
【図１】
2005160532.tif 000003
【図２】
2005160532.tif 000004
【図３】
2005160532.tif 000005
【図４】
2005160532.tif 000006